(57)【要約】【課題】  いかなる方向に外部磁界が印加された場合でも、記録磁化の減磁及び消磁を防ぐ。【解決手段】  単磁極ヘッドの主磁極近傍に磁界シールドを設置したヘッドと、全体もしくは一部に磁界遮蔽効果のある材質を用いた装置カバー２１１とを有する。記録媒体に対して垂直方向に印加された場合は、単磁極ヘッド近傍の磁界シールドによって磁界の影響を緩和する。このとき磁界シールドは垂直方向の磁界にのみ最適化されていればよい。記録媒体に対して水平方向に印加された場合は、記録媒体に作用する磁界を、磁性体を含む装置カバーによって除去する。【選択図】  図１
2006127627.tif 000002
【特許請求の範囲】
【請求項１】
軟磁性層と磁気記録層とを有する垂直磁気記録媒体と、
主磁極、補助磁極、一対の再生シールド、及び前記一対の再生シールドに挟まれた磁気抵抗効果素子を有する磁気ヘッドと、
前記垂直磁気記録媒体及び前記磁気ヘッドを収容する筺体とを備え、
前記磁気ヘッドは前記垂直磁気記録媒体の媒体面に垂直な向きにかかる磁界を遮蔽するシールドを有し、前記筺体は磁気遮蔽効果のある材質からなるカバーを有することを特徴とする磁気記録再生装置。
【請求項２】
請求項１記載の磁気記録再生装置において、前記筺体は磁気遮蔽効果のある部材が一部に設けられたカバーを有することを特徴とする磁気記録再生装置。
【請求項３】
請求項２記載の磁気記録再生装置において、前記部材は前記磁気ヘッドの移動範囲と重ならない領域に設けられていることを特徴とする磁気記録再生装置。
【請求項４】
請求項２記載の磁気記録再生装置において、前記部材の端部は前記磁気ヘッドの移動範囲以外の領域に位置することを特徴とする磁気記録再生装置。
【請求項５】
軟磁性層と磁気記録層とを有する垂直磁気記録媒体と、
主磁極、補助磁極、一対の再生シールド、及び前記一対の再生シールドに挟まれた磁気抵抗効果素子を有する磁気ヘッドと、
前記垂直磁気記録媒体及び前記磁気ヘッドを収容する筺体とを備え、
前記一対の再生シールドは水平方向に長く、前記筺体は磁気遮蔽効果のある材質からなるカバーを有することを特徴とする磁気記録再生装置。
【請求項６】
請求項５記載の磁気記録再生装置において、前記磁気ヘッドは前記垂直磁気記録媒体の媒体面に垂直な向きにかかる磁界を遮蔽するシールドを有することを特徴とする磁気記録再生装置。
【発明の詳細な説明】
【技術分野】
【０００１】
本発明は、信号を媒体の膜厚方向に磁化として記録し、磁気的に再生する磁気記録再生装置に関する。
【背景技術】
【０００２】
従来の記録技術について、垂直磁気ディスク装置を例にして説明する。垂直磁気ディスク装置の意味は、垂直記録媒体、及び記録再生ヘッドなどを有し、垂直磁気記録方式で記録再生を行う磁気ディスク装置である。垂直磁気記録方式は、従来の面内磁気記録方式とは異なり、媒体の膜厚方向に記録磁化を形成する方式である。
【０００３】
図１３において、垂直記録媒体１３は、膜厚方向に磁気異方性を有する記録層１３１を有する。この記録層１３１のみを持つ単層記録媒体と、記録層１３１と基板１３３との間に軟磁性裏打ち層１３２を有する２層記録媒体がある（以下、特に明記がない限り、記録媒体とは２層記録媒体を指す）。記録層１３１は、情報を保持するため高保磁力を有する垂直磁化膜からなり、軟磁性裏打ち層１３２は磁界が印加されると磁化されるが、磁界が取り払われると非磁化の状態に戻る特性を有する。記録再生ヘッド１４０は、一般には記録素子と再生素子を有する録再分離型ヘッドが用いられる。記録素子は、面内磁気記録でも使用されるリング状の１部にギャップを設け、そのギャップからの漏れ磁界で記録を行うリングヘッドと、主磁極と補助磁極を有する単磁極ヘッドがある（以下、特に明記がない限り、記録ヘッドとは単磁極ヘッドを指す）。また、再生素子は、磁界変化が抵抗の変化として検出することができる磁気抵抗効果型（ＭＲ：Magneto Resistive）ヘッドが利用されている。
【０００４】
以下に単磁極ヘッド１４０と２層記録媒体１３を組み合せた場合を例に、記録動作の概略を説明する。記録素子上部に巻かれたコイル１４３に電流を流すことで発生した磁界によって、主磁極１４１は磁化される。媒体に面した主磁極先端部分の面積は小さいため磁束５０が集中し、主磁極直下に非常に大きな磁界が発生し記録される。記録層１３１を透過した磁界は軟磁性裏打ち層１３２を磁化する。一方、補助磁極１４２はコイルよって発生した磁界により主磁極１４１と逆向きに磁化されるが、補助磁極の先端部の面積は大きく、発生する磁界は小さく記録されない。しかし、補助磁極直下の軟磁性裏打ち層には主磁極と逆向きの磁界が生じているため、軟磁性裏打ち層は主磁極直下と補助磁極直下を繋ぐ磁界が形成される。このとき、記録磁界は主磁極から軟磁性裏打ち層を介し補助磁極に戻る経路５０となる。ＭＲヘッドは、上下の再生シールド１４４，１４５に挟まれたＭＲ素子１４６を備える。
【０００５】
図１４に示すように、このような記録系に外部から媒体面に対して垂直方向の磁界５１が印加された場合、その磁界は主磁極や補助磁極を通り抜ける。その際、主磁極１４１は、その構造上、磁極先端部に磁界が集中する（５１１）ために、印加された外部磁界５１が弱い場合でも記録層１３１の記録磁化を減磁させる程に強い磁界が発生する場合がある。これが外部磁界による記録磁化の減磁又は消去という現象である。この現象が起こると、著しい場合には記録した情報が失われるのみならず、サーボマークやトラック及びセクター識別信号までもが失われ、ディスクドライブ装置（ＨＤＤ）としての動作自体に支障を来す可能性がある。
【０００６】
記録媒体に垂直方向の外部磁界が印加されたときに生ずる問題は以前より知られている。この問題に対して、例えば特開２００３−７７２６６号公報には、磁気ヘッドの移動範囲に対向するＨＤＤ筐体の平面領域と連続する側面領域とに磁気遮蔽効果のある部材を設置することで外部磁界耐力を増加させる方法が記載されている。また、磁気ヘッドの移動範囲だけでなく、ＨＤＤ筐体全面に磁気遮蔽効果のある部材を使用する技術が特開２００４−９５１７７号公報に開示されている。特開２００２−１９７６１９号公報には、磁界遮蔽効果のある部材で単磁極ヘッドの主磁極を覆い、外部磁界を遮蔽する技術が開示されている。特開２００４−４７１１０号公報には、スピンドルに対してヘッドと逆側に「コ」の字型の磁性体で媒体を覆い、外部磁界を遮蔽する方法が記載されている。その他の技術を開示するものとして、特開平５−２１０８２６号公報、特開平７−３０７００２号公報、特開平６−８４１２０号公報、特開２００３−４５００８号公報がある。
【特許文献１】特開２００３−７７２６６号公報
【特許文献２】特開２００４−９５１７７号公報
【特許文献３】特開２００２−１９７６１９号公報
【特許文献４】特開２００４−４７１１０号公報
【特許文献５】特開平５−２１０８２６号公報
【特許文献６】特開平７−３０７００２号公報
【特許文献７】特開平６−８４１２０号公報
【特許文献８】特開２００３−４５００８号公報
【発明の開示】
【発明が解決しようとする課題】
【０００７】
ＨＤＤ筺体に磁気遮蔽効果のある部材を設置する方法は、一般的に十分な磁気シールド効果を得るためにはある厚さ以上の軟磁性材料からなる部材で覆う必要があるため、特に携帯機器向けＨＤＤでは重量及び寸法上の制約から現実に適用できるとは限らない。これは図１５に示す実験結果からも明らかである。図１５は、現在市場に流通されている２．５型ＨＤＤの筐体内の磁界を測定した結果である。通常のアルミニウムカバーに対して、磁性体カバー（ここでは０．４ｍｍ厚のスチールを使用）を施した場合でも内部の磁界にはほぼ影響がなく、垂直方向にかけた磁界３９７８．８７Ａ／ｍ［＝５０Ｏｅ］に対して３５８０．９９Ａ／ｍ［＝４５Ｏｅ］程度の磁界が観測されている。このため十分な磁界遮蔽効果を得るには数倍の厚みが必要なことは明らかである。
【０００８】
ところで、記録媒体に垂直方向の外部磁界が印加されたときに生ずる問題については従来から知られていたが、外部磁場が記録媒体の媒体面に平行に印加されたときの問題については認識されていなかった。図１６はこの問題を説明する図であり、図１６（Ａ）は媒体面に垂直方向から見た模式図、図１６（Ｂ）はそのＡＡ’断面模式図である。
【０００９】
図１６に示すように、記録媒体１３に水平な向きに外部磁界５１が印加された場合は、記録媒体１３の軟磁性裏打ち層１３２は外部磁界の影響を受け、外部磁界の向きに磁化される。外部磁界の強度が軟磁性裏打ち層１３２を飽和させるほど強い場合、飽和した磁束はその他の磁性体を通る経路を通ろうとする。このとき、補助磁極１４２、上部・下部再生シールド１４４，１４５などの磁性体の浮上面と外部磁界の向きが平行に近くなると、軟磁性裏打ち層１３２を飽和した磁界は、記録層１３１を通過し補助磁極１４２を介して、また、軟磁性裏打ち層１３２へと戻る経路を形成する。このように補助磁極両端では軟磁性裏打ち層１３２を飽和させるほど強力な磁界の一部が記録層１３１を通過してしまうため、補助磁極１４２両端の直下の領域５１２では記録層１３１の磁化を減衰させ、図１４に示したように外部磁界が記録媒体に垂直に印加された場合と同様、ＨＤＤとしての動作自体に支障をきたす可能性がある。
【００１０】
以上のように、外部磁界が印加されたことで生じる問題は、外部磁界の印加方向によって大きく異なる。これは垂直記録方式を採用したＨＤＤを用いて、外部磁界を印加した場合の影響を確認する実験を行うことで明確になる。図１７及び図１８に示す実験結果を用いて、外部磁界の向きによる記録磁界の破損状況の変化を説明する。図１７は主磁極直下の影響を確認する実験で、主磁極をあるトラック上に固定して浮上させ、外部磁界の印加前後での誤り率の変化を測定した結果である。図１８は主磁極近傍への影響を確認する実験で、外部磁界２３８７．３２Ａ／ｍ［＝３０Ｏｅ(エルステッド)］を印加中に中心トラックに繰り返し記録し、磁界の印加前後の誤り率の変化を測定した結果である。
【００１１】
図１７（Ａ）及び図１８（Ａ）は、記録媒体に対して垂直方向に外部磁界を印加した場合の実験結果である。相対ヘッド位置０における図１４を用いて説明したように、垂直方向の磁界によって、主磁極直下の記録磁化に、振幅の低下、もしくは誤り率の増加など、減磁、もしくは消磁が起こることがわかる。一方、図１７（Ｂ）及び図１８（Ｂ）は、記録媒体に対して水平方向に外部磁界を印加した場合の実験結果である。図１６を用いて説明したように水平方向の磁界によって、記録媒体の軟磁性裏打ち層で飽和した磁界は、単磁極ヘッドの補助磁極１４２、もしくは再生シールド１４４，１４５に流れ込むため、それぞれの端部の直下の記録磁化に、振幅の低下、もしくは誤り率の増加など、減磁、もしくは消磁が起こる。このように外部磁界の向きにより、減磁もしくは消磁するプロセスが大きく異なることはこれまで知られていなかったことである。このため、これまで開示されている外部磁界の対策技術は、記録媒体に対して垂直方向に外部磁界が印加された場合のみを考慮している。
【００１２】
特開２００２−１９７６１９号公報には、外部磁界の向きについては明示されていないものの、その問題提起や効果から外部磁界が媒体に垂直に印加された場合のみを想定している。このことは、外部磁界によってデータを記録する場合と同様の磁気回路の形成を示していることや、主磁極直下の影響を考慮していることからも明らかである。その他の従来技術においても、垂直磁気記録方式において記録媒体に対して垂直方向の外部磁界が印加された場合を想定しているものであり、外部磁界が水平方向に印加された場合に生じる補助磁極や再生シールドの端部直下での記録磁化の減磁もしくは消磁は想定していない。
【００１３】
ここで、前記従来技術に対して、記録媒体に対して水平方向の外部磁界が印加された場合の影響を実験により求めた。特開２００３−７７２６６号公報や特開２００４−９５１７７号公報などの技術は、外部磁界が記録媒体に対して垂直方向に印加された場合には十分な効果を得られるものではなかった。しかし、外部磁界が水平方向に印加された場合には、記録媒体の軟磁性裏打ち層に印加される磁界をカバー側に迂回させることができ、補助磁極や再生シールド端部での影響を大幅に緩和できる。
【００１４】
これに対して、特開２００２−１９７６１９号公報などの技術は、外部磁界が垂直方向に印加された場合には主磁極、補助磁極、軟磁性裏打ち層による磁気回路の形成を阻むため、十分な効果があると考えられる。しかし、外部磁界が水平方向に印加された場合には、補助磁極又は再生シールド端部による記録磁化の減磁もしくは消磁には対応することができない。加えて、シールドの大きさや設置箇所によって、シールド自体が記録磁化の減磁もしくは消磁を引き起こす原因となる。
【００１５】
特開２００４−４７１１０号公報の方法は、軟磁性層に流入する外部磁界を緩和することができるとしても、ヘッド直下では十分に遮蔽効果を得られない。また、スピンドルに対して磁性体と異なる側（ヘッド側）から磁界が印加された場合、磁性体が外部磁界に対するアンテナとして働き、ヘッドに外部磁界を誘引する原因ともなりうる。特開平５−２１０８２６号公報では、主磁極、補助磁極を含むスライダ全体を磁気シールド膜で覆うことで、外部磁界など記録再生に寄与しない磁界を遮断する。しかし、磁気シールド膜が媒体と対向する面まで伸びている場合には、磁気シールド膜の両端に磁界が集中する。また媒体と対向する面からリセスされている場合には、特開２００２−１９７６１９号公報と同様に、補助磁極及び再生シールド両端直下の影響は免れない。
【００１６】
特開平７−３０７００２号公報は、垂直記録方式特有の問題を考慮したものではない。仮にヘッドコアを主磁極と置き換えた場合、垂直方向の外部磁界を解消することはできる。しかし、水平方向の外部磁界に対しては、媒体と対向する面からリセスされているため、特開２００２−１９７６１９号公報と同様に、補助磁極再生シールド両端直下の影響は免れない。次に、特開平６−８４１２０号公報は、垂直記録方式特有の問題を考慮したものではない。仮に垂直記録方式に適用した場合、特開平５−２１０８２６号公報と同様、磁気シールドの効果により、垂直方向の外部磁界に対する問題を解消することができる。しかし、水平方向の外部磁界には磁気シールドの端部の直下の影響は免れない。
【００１７】
特開平５−２１０８２６号公報、特開平７−３０７００２号公報、特開平６−０８４１２０号公報などの技術は、磁気シールドとなる部材の配置がヘッドの主磁極からの距離が遠く、垂直方向に対しても十分に効果を得られない場合も想定される。特開２００３−４５００８号公報は、主磁極近傍に外部磁界用シールドを配置する。この外部磁界用シールドは、シールド自体が垂直方向の磁界を集め、記録磁化が減磁もしくは消磁することを防いでいる。しかし、他の従来技術と同様に、補助磁極もしくは再生シールド両端の直下の影響を緩和するものではない。
【００１８】
このように従来の技術は、記録媒体に対して垂直方向に外部磁界が印加される場合のみを想定していた。このため、あらゆる方向に外部磁界が印加される状況では垂直・水平どちらかに問題が残り、記録磁化の減磁もしくは消磁から装置を保護することはできなかった。
【００１９】
本発明の目的は、どのような方向から外部磁界が印加されたとしても、記録磁化の減磁及び消磁を防ぐことができる信頼性のある磁気記録再生装置を提供することにある。
【課題を解決するための手段】
【００２０】
前記目的を達成するために、本発明の磁気記録再生装置は、磁気ヘッドが主磁極近傍に磁界シールドを有し、装置筺体が磁気遮蔽効果の高い材質をその全部もしくは一部に使用したカバーを有する。磁気ヘッドに設けた磁界シールドは、記録媒体に垂直な方向の外部磁界の影響を十分に除去できるように最適な形状とする。また、磁気遮蔽効果の高い材質を使用した装置カバー、もしくは一部に磁気遮蔽効果の高い材質を使用した装置カバーは、水平方向の外部磁界の影響を十分に除去できるように最適な形状とする。
【００２１】
これにより、外部磁界が記録媒体に対して垂直方向に印加された場合、主磁極近傍に設置された磁界シールドが磁界を遮蔽する。もしくは、磁界シールドに磁界を集中させ主磁極への外部磁界の影響を緩和させる。外部磁界が記録媒体面に平行な水平方向に印加された場合は、記録媒体の軟磁性裏打ち層に印加される磁界をカバー側に迂回させることができ、補助磁極や再生シールド端部、主磁極近傍の磁界遮蔽シールド端部に磁界を集中させることはない。これらにより垂直・水平どちらの向きに磁界を印加した場合においても外部磁界による記録磁界の減磁もしくは消磁を防ぐことができる。
【発明の効果】
【００２２】
本発明によれば、垂直・水平どちらの向きに外部磁界が印加されたとしても、外部磁界による記録磁化の減磁もしくは消磁を防ぐことができる。
【発明を実施するための最良の形態】
【００２３】
以下、図面を参照して本発明の実施の形態を説明する。
［実施例１］
図１は、本発明による垂直磁気ディスク装置の第１の実施例を示す概略図である。この垂直磁気ディスク装置１は、ベース１２上に、ＶＣＭ１２１、スピンドルモータ１２２、記録媒体１３、ロードビーム１２３、H.S.A.（Head Stack Assembly）１４などが配置されている。これを磁性体カバー２１１で覆う。また、H.S.A.１４に装備されているヘッド１４０は、垂直方向の外部磁界耐性を向上させたヘッドである。
【００２４】
図２は、図１の垂直磁気ディスク装置に搭載された、垂直方向の外部磁界耐性を向上させたヘッドの一例を示す断面模式図である。主磁極１４１近傍に、磁界シールド１４８を設置している。この磁界シールド１４８は主磁極に流入する外部磁界をシールド側に集める。このため、外部磁界は主磁極１４１に流入せず、垂直方向の外部磁界耐性が向上する。
【００２５】
以上本発明によれば、外部磁界耐性ヘッドは、垂直方向に外部磁界耐性を特化させ、垂直方向の外部磁界に対して十分な耐性を得られる。また、磁性体カバーによって水平方向に十分な外部磁界耐性を得る。外部磁界耐性ヘッドと磁性体カバーを有することによって、図２を用いて、第１の実施例として磁界シールドを有する外部磁界耐性単磁極ヘッドと磁性体カバーを配置した構成を説明する。
【００２６】
図２は、磁性体カバー２１１有する垂直磁気記録装置が搭載するヘッドを示した図である。磁性体カバー２１１は水平方向の外部磁界が印加された場合、装置内部のヘッド１４や記録媒体１３に印加される磁界をカバーに集中させる。また、垂直方向の外部磁界が印加された場合、主磁極１４１近傍に配置された磁界シールド１４８は、主磁極１４１もしくは補助磁極１４２に流れ込む外部磁界を磁界シールドに集中させる。
【００２７】
以上、本実施例によれば、磁性体カバー２１１により水平方向の外部磁界耐性を有し、かつ、主磁極近傍に配置された磁界シールド１４８により、主磁極直下の記録磁化の減磁又は消磁を防ぐことができる。
【００２８】
［実施例２］
磁界シールドを有する外部磁界耐性ヘッドと磁性体カバーとを備える垂直磁気ディスク装置の第２の実施例について説明する。
【００２９】
図３は、磁性体カバー２１１を有する垂直磁気記録装置に搭載されたヘッドの断面模式図である。磁性体カバー２１１は、水平方向の外部磁界が印加された場合、装置内部のH.S.A.１４に設置されたヘッドや記録媒体１３に印加される磁界をカバーに集中させる。また、垂直方向の外部磁界が印加された場合、記録ヘッドと再生ヘッドの間に配置された磁界シールド１４８は、主磁極１４１もしくは補助磁極１４２に流れ込む外部磁界を磁界シールドに集中させる。また、上部再生シールド１４４及び下部再生シールド１４５に流れ込む磁界も、同様に磁界シールド１４８に集中させることができる。
【００３０】
以上、本実施例によれば、磁性体カバー２１１により水平方向の外部磁界耐性を有し、かつ、垂直方向の外部磁界に対しては、磁気ヘッドに設けた磁界シールド１４８により主磁極・補助磁極だけでなく、再生シールド直下の記録磁化の減磁もしくは消磁を防ぐことができる。
【００３１】
［実施例３］
第３の実施例として、垂直方向に短いシールドを有するヘッドの構成を説明する。
図４及び図５は、磁性体カバー２１１を有する垂直磁気記録装置に搭載されたヘッドの断面摸式図である。図４に再生シールド１４４，１４５が素子高さ方向に長い構成を、図５に再生シールド１４４，１４５が素子高さ方向に短い構成を示す。図４に示したヘッドと図５に示したヘッドは、上部再生シールド１４４及び下部再生シールド１４５の長さが違う以外は構成が同じである。
【００３２】
図６及び図７に、再生シールドの長さの違いによる外部磁界の影響の違いを示す。このとき使用したヘッドの媒体と対向する面では、主磁極形状は幅１７０ｎｍ、長さ２１０ｎｍ、また補助磁極、および上部・下部の再生シールド形状は幅３２μｍ、長さ２．５μｍである。媒体対向面からの高さは、補助磁極は１６μｍ、再生シールドについては長い形状は１６μｍ、短い形状は６μｍである。
【００３３】
再生シールドが長い場合、図６に示すように、垂直磁界の主磁極直下で誤り率の劣化は大きくなるが、図７（Ａ）に示すように、水平磁界の補助磁極及び再生シールド端部の誤り率の劣化は非常に小さくなる。これに対して、再生シールドが短い場合、図６に示すように、垂直磁界の主磁極直下で誤り率はほぼ劣化しないが、図７（Ｂ）に示すように、水平磁界の補助磁極及び再生シールド端部の誤り率の劣化は非常に大きくなる。
【００３４】
ここで、再生シールドの長短は補助磁極を基準とする。補助磁極と同等もしくはそれ以上の場合は、長い再生シールドとし、補助磁極より短い場合、短い再生シールドとする。しかし、十分な効果を得るためには、補助磁極の半分程度より低いシールドがよい。
【００３５】
以上、本実施例によれば、磁性体カバーにより水平方向の外部磁界耐性を有し、かつ、再生シールドが垂直方向に短いヘッドを用いることによって、垂直方向の外部磁界に対してはヘッドで対応し、水平方向の磁界に対しては装置カバーで対応できることがわかる。
【００３６】
[実施例４] 
図８を用いて、第４の実施例として、カバーの一部に磁性体を使用した構成を説明する。
【００３７】
図８は、本発明による垂直磁気ディスク装置の第５の実施例を示す概略図である。図１に示した垂直磁気ディスク装置との違いは、カバーの一部に磁性体を使用した点である。すなわち、本実施例では、アルミニウムカバー２１０に磁性体パッチ２１４を施したカバー部を用いる。本実施例の垂直磁気ディスク装置は、水平方向の外部磁界が印加された場合、装置内部のH.S.A.１４に設置されたヘッドや記録媒体１３に印加される磁界をカバーの磁性体パッチ２１４に集中させることができる。このため、水平方向に印加された外部磁界は、記録媒体１３の軟磁性層に集中しない。また、装置内部のH.S.A.１４に設置されたヘッドは図２あるいは図３に示した外部磁界耐性ヘッドであり、これにより垂直方向の外部磁界の影響を緩和することができる。
【００３８】
カバー部の一部に設ける磁性体としては、図９に示すように媒体と対向する面に、媒体の形状に合わせた磁性体を施してもよい。また、図１０に示すようにアルファベットの「Ｃ」型の形状を有する磁性体を施してもよい。
【００３９】
以上、本実施例によれば、図１６に示すような軟磁性層１３２から補助磁極１４２もしくは再生シールド１４４，１４５を介して、再び軟磁性層に戻る磁路は弱まり、補助磁極１４２、再生シールド１４４，１４５両端の直下の記録磁化の減磁もしくは消磁を防ぐことができる。
【００４０】
以上の実施例において代表的なものとして、第１の実施例、及び第４の実施例の効果について、図１１を用いて説明する。図１１において、印加する外部磁界強度を変化させて、誤り率の劣化を確認した。第４実施例の全面カバーは０．４ｍｍ厚のスチール板、第５の実施例は０．６ｍｍ厚のＣ型のパッチをアルミカバーに添付したものである。これらのカバーを設置したＨＤＤを用いて、磁界印加前に測定した誤り率と、磁界印加中に５分程度ライトしたあと磁界を取り去って測定した誤り率を示す。誤り率を測定した場所は、補助磁極、上部再生シールド、下部再生シールドの端部であり、そのうち最も誤り率が劣化した箇所のデータを示す。これによると１５９１．５５Ａ／ｍ［＝２０Ｏｅ］の磁界を印加した場合、全面カバーでは通常のアルミニウムカバーに対して９０％以上、また、Ｃ型パッチでは２５％程度の外部磁界の影響を軽減していることがわかる。
【００４１】
［実施例５］
図１２を用いて、第５の実施例として、ヘッドの移動範囲に対向する面に磁界遮蔽部材が存在しない場合の構成を説明する。
【００４２】
図１２は、図1に示した構成のうちカバー部をアルミニウムカバー２１０にヘッドの稼動範囲２１５上に存在しないように加工された磁性体パッチ２１６を施したものである。磁性体パッチ２１６は水平方向の外部磁界が印加された場合、装置内部のH.S.A.１４に設置されたヘッドや記録媒体１３に印加される磁界をカバーに集中させることができる。磁性体パッチ２１６は形状によって、磁性体パッチ２１６が磁界に対するアンテナとなり、端部に外部磁界を集中させてしまう。このため、外部磁界をヘッド周辺に集中させるため、ヘッド近傍への磁界強度を強める可能性がある。このためヘッドの稼動範囲２１５上に存在しないように磁性体パッチ２１６を配置することで、外部磁界による磁界影響を緩和できる。
【００４３】
以上、ヘッド稼動範囲２１５上に存在しない磁性体パッチ２１６により、水平方向に印加された外部磁界は、記録媒体１３の軟磁性層だけでなく、外部磁界耐性ヘッドにも集中することはない。また、装置内部のH.S.A.１４に設置されたヘッドは外部磁界耐性ヘッドであり、これにより垂直方向の外部磁界の影響を緩和することができる。
【００４４】
以上、本実施例によれば、図１６に示すような軟磁性層１３２から補助磁極１４２もしくは再生シールド１４４，１４５を介して、再び軟磁性層に戻る磁路は弱まり、補助磁極１４２、再生シールド１４４，１４５両端の直下の減磁もしくは消磁を防ぐことができる。
【００４５】
また、第５の実施例の一つである図１０の「Ｃ」型パッチ形状であり、かつ、第６の実施例のヘッドの稼動範囲上に存在しない磁性体パッチを施す例に拠れば、通常のアルミニウムカバーに剛性を持たせるために造成された凹部に磁性体を埋め込むことでも実現でき、従来のカバー形状に微弱の変更で本発明を実現できる。
【００４６】
本発明において、実施例１から３と実施例４ないし５は相容れないものでなく、実施例１から３と実施例４ないし５とを自由に組み合わせることが可能である。
【００４７】
本発明は前記の実施例に限定されるものではなく、その趣旨を逸脱しない範囲で種々に変更可能であることは言うまでもない。例えば、上述の説明では、図２、図３において、ＡＢＳ面から磁界シールドをリセスさせた構造のヘッドを用いたが、リセスさせない構造のヘッドでもよく、ここでは垂直方向の外部磁界耐性を向上できる構造であればよい。また、図２、図３において磁界シールドを主磁極に近い位置に配置したが、十分に効果が得られる範囲であれば、主磁極と再生素子の直線上で、かつ、主磁極からの距離が再生素子より遠い位置に設置することも可能である。
【図面の簡単な説明】
【００４８】
【図１】本発明による垂直磁気ディスク装置の第１の実施例を示す概略図。
【図２】磁界シールドを有する単磁極ヘッドの例を示す図。
【図３】単磁極ヘッドと再生シールド間に磁界シールドを有するヘッドの構成例を示す図。
【図４】再生シールドが垂直方向に長い例を示す図。
【図５】再生シールドが垂直方向に短い例を示す図。
【図６】再生シールドの長さによる垂直方向の外部磁界の影響を示す図。
【図７】再生シールドの長さによる水平方向の外部磁界の影響を示す図。
【図８】一部に磁気遮蔽効果のある部材を使用したカバーを示す図。
【図９】一部に磁気遮蔽効果のある部材を使用したカバーを示す図。
【図１０】Ｃ型の磁気遮蔽効果のある部材を使用したカバーを示す図。
【図１１】水平磁界を印加した場合のカバーの形状による誤り率の劣化を示す図。
【図１２】一部に磁気遮蔽効果のある部材がヘッドの稼動範囲上に存在しない形状のカバーを示す図。
【図１３】垂直磁気記録方式を説明する図。
【図１４】主磁極先端に外部磁界が集中する様を示す図。
【図１５】水平磁界を印加した場合のカバーの形状による効果を示す図。
【図１６】補助磁極端部に外部磁界が集中する様を示す図。
【図１７】外部磁界を印加した場合の主磁極直下の影響を示す図。
【図１８】外部磁界を印加した場合の主磁極周辺への影響を示す図。
【符号の説明】
【００４９】
１：ＨＤＤ、１２：ベース、１２１：ＶＣＭ、１２２：スピンドルモータ、１２３：ロードビーム、１３：記録媒体、１３１：記録層、１３２：軟磁性層、１３３：基盤、１４：H.S.A.、１４０：ヘッド、１４１：主磁極、１４２：補助磁極、１４３：コイル、１４４：上部再生シールド、１４５：下部再生シールド、１４６：ＭＲ素子、１４７：非磁性体、１４８：磁界シールド、２１：カバー、２１０：アルミニウムカバー、２１１：磁性体カバー、２１２：磁性体パッチ、２１３：磁性体Ｃ型パッチ、２１４：カバーの一部に施された磁性体パッチ、２１５：ヘッドの稼動範囲、２１６：ヘッドの稼動範囲上に存在しない磁性体パッチ、５０：記録磁界の経路、５１：外部磁界、５１１：主磁極先端に集中した外部磁界、５１２：補助磁極両端に流れ込む外部磁界
【図１】
2006127627.tif 000003
【図２】
2006127627.tif 000004
【図３】
2006127627.tif 000005
【図４】
2006127627.tif 000006
【図５】
2006127627.tif 000007
【図６】
2006127627.tif 000008
【図７】
2006127627.tif 000009
【図８】
2006127627.tif 000010
【図９】
2006127627.tif 000011
【図１０】
2006127627.tif 000012
【図１１】
2006127627.tif 000013
【図１２】
2006127627.tif 000014
【図１３】
2006127627.tif 000015
【図１４】
2006127627.tif 000016
【図１５】
2006127627.tif 000017
【図１６】
2006127627.tif 000018
【図１７】
2006127627.tif 000019
【図１８】
2006127627.tif 000020